(57)【要約】【課題】  水平ライン別輝度差を改善できるプラズマディスプレイパネルの駆動装置及び方法を提供する。【解決手段】  本発明は、外部から入力されるデータを水平同期信号に同期して水平ライン別に格納するラインバッファー部と、前記ラインバッファー部に格納された水平ラインに含まれたロードを比較する少なくとも一つの比較部と、前記少なくとも 一つの比較部により比較されたロード差により前記水平ラインに供給されるデータを補正するデータ変換部とを備える。【選択図】  図５
2005128542.tif 000002
【特許請求の範囲】
【請求項１】
外部から入力されるデータを水平同期信号に同期して水平ライン別に格納するラインバッファー部と、
前記ラインバッファー部に格納された水平ラインに含まれたロードを比較する少なくとも一つの比較部と、
前記少なくとも 一つの比較部により比較されたロード差により前記水平ラインに供給されるデータを補正するデータ変換部と
を備えることを特徴とするプラズマディスプレイパネルの駆動装置。 
【請求項２】
前記少なくとも一つの比較部は、１つ前の水平ラインに供給されたデータと現在の水平ラインに供給されるデータ各々に含まれたロードを比較する比較部を含むことを特徴とする請求項1に記載のプラズマディスプレイパネルの駆動装置。
【請求項３】
前記少なくとも一つの比較部は、
第k及び第k+1水平ラインに供給されたデータ各々に含まれたロードを比較する第1比較部と、
前記第1比較部により比較されたロードが同じである場合、第k+1水平ラインに供給されたデータと第k+2水平ラインに供給されるデータのロードを比較する第2 比較部と
を含むことを特徴とする請求項1に記載のプラズマディスプレイパネルの駆動装置。
【請求項４】
少なくとも二つの隣接した水平ラインに供給される外部から入力されるデータに含まれた各ロードを検出する段階と、
前記隣接した水平ライン別ロード差により前記水平ラインに供給されるデータを補正する段階と
を含むことを特徴とするプラズマディスプレイパネルの駆動方法。
【請求項５】
前記少なくとも二つの水平ラインに供給される外部から入力されるデータに含まれた各ロードを検出する段階は、
第1水平ラインに供給された外部から入力される第1データに含まれた第1ロード値を検出する段階と、
水平同期信号に同期して第2水平ラインに供給される外部から入力される第2データに含まれた第2ロード値を検出する段階と
を含むことを特徴とする請求項4に記載のプラズマディスプレイパネルの駆動方法。 
【請求項６】
前記隣接した水平ライン別ロード差により前記水平ラインに供給されるデータを補正する段階は、
前記第1ロード値と前記第2ロード値の差が所定値以上である場合、前記第2データより相対的に低いデータに補正して前記第2水平ラインに供給する段階を含むことを特徴とする請求項5に記載のプラズマディスプレイパネルの駆動方法。
【請求項７】
前記隣接した水平ライン別ロード差により前記水平ラインに供給されるデータを補正する段階は、
前記第1ロード値と前記第2ロード値との差が所定値以下である場合、前記第2データより相対的に高いデータに補正して前記第2水平ラインに供給する段階を含むことを特徴とする請求項5に記載のプラズマディスプレイパネルの駆動方法。
【請求項８】
前記少なくとも二つの水平ラインに供給される外部から入力されるデータに含まれた各ロードを検出する段階は、
第1水平ラインに供給された外部から入力される第1データに含まれた第1ロード値を検出する段階と、
少なくとも二つの第2水平ラインに供給された外部から入力される第2データに含まれた第2ロード値を検出する段階と、
第３水平ラインに供給された外部から入力される第３データに含まれた第３ロード値を検出する段階と
を含むことを特徴とする請求項4に記載のプラズマディスプレイパネルの駆動方法。
【請求項９】
前記少なくとも二つの第2 水平ライン各々に供給されるデータに含まれた第2ロード値は同じであることを特徴とする請求項8に記載のプラズマディスプレイパネルの駆動方法。
【請求項１０】
前記隣接した水平ライン別ロード差により前記水平ラインに供給されるデータを補正する段階は、
前記第1水平ラインと前記第2水平ライン各々の第1及び第2ロード値を比較して前記第1ロード値と前記第2ロード値との差が所定値以上である場合、前記第2データより相対的に低いデータに補正して前記第2水平ラインに供給する段階を含むことを特徴とする請求項８に記載のプラズマディスプレイパネルの駆動方法。
【請求項１１】
前記隣接した水平ライン別ロード差により前記水平ラインに供給されるデータを補正する段階は、
前記第1水平ラインと前記第2水平ライン各々の第1及び第2ロード値を比較して前記第1ロード値と前記第2ロード値との差が所定値以下である場合、前記第2データより相対的に高いデータに補正して前記第2水平ラインに供給する段階を含むことを特徴とする請求項８に記載のプラズマディスプレイパネルの駆動方法。 
【発明の詳細な説明】
【技術分野】
【０００１】
本発明は、プラズマディスプレイパネルに関し、より 詳細には、プラズマディスプレイパネルの駆動装置及び方法に関する。
【０００２】
プラズマディスプレイパネル(Plasma Display Panel:以下「PDP」という）は、He+Xe、Ne+XeまたはHe+Xe+Neなどの不活性混合ガスの放電時発生する147nmの紫外線により蛍光体を発光させることによって文字またはグラフィックを含む画像を表示することになる。このようなPDPは、薄膜化と大型化が容易であるのみでなく、近年の技術開発により大きく向上した画質を提供する。特に、3電極交流面放電型PDPは、放電時表面に壁電荷が蓄積されて放電により発生するスパッタリングから電極を保護するために低電圧駆動と長寿命という長所を有する。
【０００３】
図1を参照すると、3電極交流面放電型PDPの放電セルは、上部基板10上に形成された走査電極Y及び維持電極Zと、下部基板18上に形成されたアドレス電極Xとを備える。走査電極Yと維持電極Z各々は、透明電極12Y、12Zと、透明電極12Y、12Zの線間幅より小さい線間幅を有し透明電極の片側縁に形成される金属バス電極13Y、13Zを含む。
【０００４】
透明電極12Y、12Zは、通常酸化インジウムスズ(Indium-Tin-Oxide : ITO）で上部基板10上に形成される。金属バス電極13Y、13Zは、通常クロム(Cr)などの金属で透明電極12Y、12Z上に形成されて抵抗の高い透明電極12Y、12Zによる電圧降下を減らす役割をする。走査電極Yと維持電極Zが並列に形成された上部基板10には上部誘電体層14と保護膜16が積層される。上部誘電体層14にはプラズマ放電時発生した壁電荷が蓄積される。保護膜16は、プラズマ放電時発生したスパッタリングによる上部誘電体層14の損傷を防止するとともに２次電子の放出効率を向上させることになる。保護膜16には通常酸化マグネシウム(MgO）が利用される。
【０００５】
アドレス電極Xが形成された下部基板18上には下部誘電体層22、隔壁24が形成され、下部誘電体層22と隔壁24表面には蛍光体層26が塗布される。アドレス電極Xは、走査電極Y及び維持電極Zと交差する方向に形成される。隔壁24は、ストライプ(Stripe)または格子型形態に形成されて放電により生成した紫外線及び可視光が隣接した放電セルに漏洩することを防止する。蛍光体層26は、プラズマ放電時発生した紫外線により励起されて赤色、緑色または青色のうちいずれか一つの可視光線を発生することになる。上/下部基板10、18と隔壁24間に設けられた放電空間には不活性混合ガスが注入される。
【０００６】
PDPは、画像の階調を具現するために、 一つのフレームを発光回数が異なる複数のサブフィールドに分けて時分割駆動することになる。各サブフィールドは、前画面を初期化させるための初期化期間と、走査電極ラインを選択して選択された走査電極ラインからセルを選択するためのアドレス期間と、放電回数に応じて階調を具現するサステイン期間とに分けられる。
【０００７】
ここで、初期化期間は、上昇ランプ波形が供給されるセットアップ期間と下降ランプ波形が供給されるセットダウン期間とに分けられる。例えば、256階調で画像を表示しようとする場合に、図2のように1/60秒に該当するフレーム期間(16.67ms）は、8個のサブフィールドSF1ないしSF8に分けられることになる。8個のサブフィールドSF1ないしSF8各々は前述したように、初期化期間、アドレス期間とサステイン期間とに分けられることになる。各サブフィールドの初期化期間とアドレス期間は、各サブフィールドごとに同じであるのに対し、サステイン期間は、各サブフィールドにおいて2n(n=0,1,2,3,4,5,6,7）の割合で増加する。
【０００８】
図3は、従来のプラズマディスプレイパネルの駆動装置を示す図面である。
【０００９】
図3を参照すると、従来のPDPの駆動装置は、入力ライン1とパネル46との間に接続された第1逆ガンマ補正部32A、利得制御部34、誤差拡散部36、サブフィールドマッピング部38及びデータ整列部40と、入力ライン1とパネル46との間に接続されたフレームメモリー30、第２逆ガンマ補正部32B、APL(Avarage Picture Level:平均輝度レベル)部42及び波形発生部44を備える。
【００１０】
第1及び第2 逆ガンマ補正部32A、32Bは、ガンマ補正されたビデオ信号を逆ガンマ補正して画像信号の階調値による輝度値を線型的に変化させる。
【００１１】
フレームメモリー30は、一フレーム分のデータ(R、G、B)を格納し、格納されたデータを第2逆ガンマ補正部32Bに供給する。
【００１２】
APL部42は、第2逆ガンマ補正部32Bにより補正されたビデオデータを入力されてサステインパルス数を調節するためのN(Nは自然数)段階信号を発生する。
【００１３】
利得制御部34は、第1逆ガンマ補正部32Aで補正されたビデオデータを有効利得ほど増幅させる。
【００１４】
誤差拡散部36は、セルの誤差成分を隣接したセルに拡散させることによって、輝度値を微細に調整する。
【００１５】
サブフィールドマッピング部38は、誤差拡散部36から補正されたビデオデータをサブフィールド別に再割り当てる。
【００１６】
データ整列部40は、パネル46の解像度フォーマットに適合するようにサブフィールドマッピング部38から入力されるビデオデータを変換してパネル46のアドレス駆動集積回路(Integrated Circuit:以下「IC」という）に供給する。
【００１７】
波形発生部44は、APL部42から入力されたN段階信号によりタイミング制御信号を生成し、生成されたタイミング制御信号をパネル46のアドレス駆動IC、スキャン駆動IC及びサステイン駆動ICに供給する。
【００１８】
このような従来のPDPの駆動装置におけるAPL部42は、ビデオデータを入力されて、入力されたビデオデータによるAPLの段階を計算する。この時、APL段階に対応してサステインパルス数が決定される。ここで、パネルのロードが大きい場合(すなわち、多くの放電セルがオンされる場合)、APL段階は高く設定され、 パネルのロードが小さい場合(すなわち、少ない放電セルがオンされる場合)APL段階は低く設定される。
【００１９】
ここで、APL段階とサステインパルス数が図4のように反比例関係を有するように設定される。言い換えれば、APL段階が増加するほどサステインパルス数が少なくなり、APL段階が減少するほどサステインパルス数は増加する。このようにAPL段階とサステインパルス数が反比例関係を有するようになると、PDPで消耗される電力をある程度一定に維持できる。
【００２０】
従来PDPではパネルのロードに応じて(すなわち、APL段階に応じて)パネルに印加される電圧値が相異となる。これを詳細に説明すると、パネルのロードが低い場合(APL段階が低い場合)、パネルには低い電流が流れるようになる。したがって、パネルのロードが低い場合にはパネルで低い電圧降下が発生し、これによってパネルにはある程度安定した電圧値(サステイン電圧値(Vs)-低い電圧降下電圧）が印加される。すなわち、パネルのロードが低い場合には、パネルで安定したサステイン放電を起こすことができる。しかし、パネルのロードが大きい場合(APL段階が高い場合)、パネルには高い電流が流れるようになる。したがって、パネルのロードが大きい場合には、パネルで高い電圧降下が発生し、これによって、パネルには低い電圧値(サステイン電圧値(Vs)-高い電圧降下電圧）が印加される。すなわち、パネルのロードが大きい場合には、実際パネルに印加される電圧値が低くなるため、不安定なサステイン放電が発生し、これによってパネルの輝度及び信頼性が低下する問題点がある。
【００２１】
これを解決するために、従来のPDPは全体一フレームのロードを計算して一フレームのAPL曲線を補正して全体的な輝度を調節することになる。この場合、全体一フレームのロードを計算して輝度を補正するので、微細に輝度を補正できない。これによって、近年では、水平ライン別輝度を補正できるPDPの駆動装置が要求されている。
【発明の開示】
【発明が解決しようとする課題】
【００２２】
したがって、本発明は、前記のような従来技術の問題点に鑑みてなされたものであって、目的とするところは、水平ライン別輝度差を改善できるプラズマディスプレイパネルの駆動装置及び方法を提供することにある。
【課題を解決するための手段】
【００２３】
本発明の実施の形態に係るプラズマディスプレイパネルの駆動装置は、外部から入力されるデータを水平同期信号に同期して水平ライン別に格納するラインバッファー部と、前記ラインバッファー部に格納された水平ラインに含まれたロードを比較する少なくとも一つの比較部と、前記少なくとも一つの比較部により比較されたロード差により前記水平ラインに供給されるデータを補正するデータ変換部とを備えることを特徴とする。
【００２４】
前記少なくとも一つの比較部は、以前水平ラインに供給されたデータと現在水平ラインに供給されるデータ各々に含まれたロードを比較する比較部を含むことを特徴とする。
【００２５】
前記少なくとも一つの比較部は、第k及び第k+1水平ラインに供給されたデータ各々に含まれたロードを比較する第1比較部と、前記第1 比較部により比較されたロードが同じである場合、第k+1水平ラインに供給されたデータと第k+2水平ラインに供給されるデータのロードを比較する第2比較部を含むことを特徴とする。
【００２６】
本発明に係るプラズマディスプレイパネルの駆動方法は、少なくとも二つの隣接した水平ラインに供給される外部から入力されるデータに含まれた各ロードを検出する段階と、前記隣接した水平ライン別ロード差により前記水平ラインに供給されるデータを補正する段階を含むことを特徴とする。
【００２７】
前記少なくとも二つの水平ラインに供給される外部から入力されるデータに含まれた各ロードを検出する段階は、第1水平ラインらに供給された外部から入力される第1データに含まれた第1ロード値を検出する段階と、水平同期信号に同期して第2水平ラインに供給される外部から入力される第2データに含まれた第2ロード値を検出する段階を含むことを特徴とする。
【００２８】
前記隣接した水平ライン別ロード差により前記水平ラインに供給されるデータを補正する段階は、前記第1 ロード値と前記第2ロード値との差が所定値以上である場合、前記第2データより相対的に低いデータに補正して前記第2水平ラインに供給する段階を含むことを特徴とする。
【００２９】
前記隣接した水平ライン別ロード差により前記水平ラインに供給されるデータを補正する段階は、前記第1ロード値と前記第2ロード値との差が所定値以下である場合、前記第2データより相対的に高いデータに補正して前記第2水平ラインに供給する段階を含むことを特徴とする。
【００３０】
前記少なくとも二つの水平ラインに供給される外部から入力されるデータに含まれた各ロードを検出する段階は、第1水平ラインに供給された外部から入力される第1データに含まれた第1ロード値を検出する段階と、少なくとも二つの第2水平ラインに供給された外部から入力される第2データに含まれた第2ロード値を検出する段階と、第３水平ラインに供給された外部から入力される第３データに含まれた第３ロード値を検出する段階を含むことを特徴とする。
【００３１】
前記少なくとも二つの第2水平ライン各々に供給されるデータに含まれた第2ロード値は同じであることを特徴とする。
【００３２】
前記隣接した水平ライン別ロード差により前記水平ラインに供給されるデータを補正する段階は、前記第1水平ラインと前記第2水平ライン各々の第1及び第2ロード値を比較して前記第1ロード値と前記第2ロード値との差が所定値以上である場合、前記第2データより相対的に低いデータに補正して前記第2水平ラインに供給する段階を含むことを特徴とする。
【００３３】
前記隣接した水平ライン別ロード差により前記水平ラインに供給されるデータを補正する段階は、前記第1水平ラインと前記第2 水平ライン各々の第1及び第2ロード値を比較して前記第1ロード値と前記第2ロード値との差が所定値以下である場合、前記第2データより相対的に高いデータに補正して前記第2水平ラインに供給する段階を含むことを特徴とする。
【発明の効果】
【００３４】
本発明に係るプラズマディスプレイパネルの駆動装置及び方法によると、以前ラインと現在ラインに含まれたロードを計算して各ライン間ロード差によってこれらのラインに供給されるデータを補正するようになる。これによって、水平 ライン間輝度差を補正できロードが多い水平ラインの電力分散を防止できる。
【発明を実施するための最良の形態】
【００３５】
以下添付図を参照して本発明の実施形態を詳細に説明する。
【００３６】
<第1実施の形態>
図5は、本発明の第1実施の形態に係るプラズマディスプレイパネルの駆動装置を示す図である。
【００３７】
図5を参照すると、本発明の第1実施の形態に係るPDPの駆動装置は、入力ライン101とパネル146間に接続されたラインバッファー部110、比較部112、データ変換部120、第1逆ガンマ補正部132A、利得制御部134、誤差拡散部136、サブフィールドマッピング部138及びデータ整列部140と、データ変換部120とパネル146間に接続されたフレームメモリー130、第2逆ガンマ補正部132B、APL(Avarage Picture Level:平均輝度レベル)部142及び波形発生部144とを備える。
【００３８】
ラインバッファー部110は、第k番目水平ライン分のデータを格納した後、格納された第k番目ライン分のデータと第k+1番目水平ライン分のデータを水平同期信号Hに同期して比較部112に供給する。この場合、ラインバッファー部110は、第k番目ライン分のデータに含まれた第1ロード値を計算して格納し、次の水平同期信号Hに同期して入力される第k+1番目水平ライン分のデータに含まれた第2ロード値を計算する。
【００３９】
比較部112は、第1及び第2ロード値を比較して第k番目水平ラインと第k+1番目水平ライン間のロードエフェクト発生可否を判断することになる。
【００４０】
データ変換部120は、比較部112によりロードエフェクトが発生すると判断されるラインに供給される1水平ライン分のデータを補正して第1逆ガンマ補正部132Aとフレームメモリー130に補正されたデータを供給する。すなわち、第k+1番目水平ライン分のデータに含まれた第2ロード値が第1ロード値より相対的に多い場合、第k+1番目水平ライン分のデータが供給された画素が相対的に明るく見えるので、第k+1番目水平ライン分のデータのレベルを所定値に下げる。 または第k+1番目水平ライン分のデータに含まれた第2ロード値が第1ロード値より相対的に小さい場合、第k+1番目水平ライン分のデータが供給された画素が相対的に暗く見えるので、第k+1番目水平ライン分のデータのレベルを所定値に上げる。
【００４１】
第1及び第2逆ガンマ補正部132A、132Bは、ガンマ補正されて選択的にレベルが調整されたビデオ信号を逆ガンマ補正して画像信号の階調値による輝度値を線型的に変化させる. 
フレームメモリー130は、選択的にレベルが調整された少なくとも一つのラインのデータが含まれた一つのフレーム分のデータ(R、G、B)を格納し、格納されたデータを第2逆ガンマ補正部132Bに供給する。
【００４２】
APL部142は、第2逆ガンマ補正部132Bにより補正されたビデオデータを入力されてサステインパルス数を調節するためのN(Nは自然数)段階信号を発生する。
【００４３】
利得制御部134は、第1逆ガンマ補正部132Aで補正されたビデオデータを有効利得ほど増幅させる。
【００４４】
誤差拡散部136は、セルの誤差成分を隣接したセルに拡散させることによって、輝度値を微細に調整する。
【００４５】
サブフィールドマッピング部138は、誤差拡散部136から補正されたビデオデータをサブフィールド別に再割り当てる。
【００４６】
データ整列部140は、パネル146の解像度フォーマットに適合するようにサブフィールドマッピング部138から入力されるビデオデータを変換してパネル146のアドレス駆動集積回路(Integrated Circuit:以下「IC」という）に供給する。
【００４７】
波形発生部144は、APL部142から入力されたN段階信号によりタイミング制御信号を生成し、生成されたタイミング制御信号をパネル146のアドレス駆動IC、スキャン駆動IC及びサステイン駆動ICに供給する。
【００４８】
図6aないし図6cは、本発明の第1実施の形態に係るプラズマディスプレイパネルの駆動方法を説明するための図である。
【００４９】
図6aないし図6cを参照すると、まず第2水平ラインと対応する第2画素領域P2で特定領域にブラックグレーのウィンドウ領域Wを具現し、ウィンドウ領域Wを除いた第2画素領域P2と、第1及び第３水平ラインと対応する第1及び第３画素領域P1、P3が同じ輝度を有するように第1ないし第３画素領域P1、P2、P3に同一レベルのデータを供給するようになる。この場合、ウィンドウ領域Wを含む第2画素領域P2に供給されるデータに含まれたロードは、残りの第1及び第３画素領域P1、P3に供給されるデータに含まれたロードに比べて相対的に大きい。
【００５０】
この場合、ウィンドウ領域Wを除いた第2画素領域P2は、図6aに示されているように、ウィンドウ領域Wにより第2画素領域P2と同一レベルのデータが供給される第1及び第３画素領域P1、P3より相対的に明るく見える。
【００５１】
これによって、ウィンドウ領域Wを除いた第2画素領域P2に供給されるデータは、ラインバッファー部110により第1及び第３水平ラインと対応する第1及び第３画素領域P1、P3に供給されるデータとのロード差を計算した後、そのロード差に比例して所定値に補正される。すなわち、ウィンドウ領域Wを除いた第2画素領域P2に供給されるデータは、図6bにハッチングで示すように、第1ないし第３画素領域P1、P2、P3で同じ輝度を有するように第1及び第３画素領域P1、P3に供給されるデータより相対的に低いレベルに補正されて第2画素領域P2に供給される。  
【００５２】
このように、相対的に明るく見える第2画素領域P2に供給されるデータのレベルを下げることによって、図6cに示されているように、ウィンドウ領域Wを除いた第1ないし第３画素領域P1、P2、P3の輝度は同一となる。 
<第２実施の形態>
図7は、本発明の第2実施の形態に係るプラズマディスプレイパネルの駆動装置を示す図面である。
【００５３】
図7を参照すると、本発明の第2実施の形態に係るPDPの駆動装置は、図5に示されているPDPの駆動装置と比較してラインバッファー部110とデータ変換部120に第1及び第2比較部112A、112Bが位置することを除いては同じ構成要素を備える。
【００５４】
ラインバッファー部110は、少なくとも二つの水平ライン分のデータを格納した後、少なくとも二つの水平ライン分のデータに含まれたロード値を計算して第1及び第2比較部112A、112Bに供給する。
【００５５】
第1比較部112Aは、第k水平ライン分のデータに含まれた第1ロード値と第k+1番目水平ライン分のデータに含まれた第2ロード値を比較して第k番目水平ラインと第k+1番目水平ライン間のロードエフェクト発生可否を判断することになる。すなわち、第1及び第2ロード値の差が所定値以上である場合、第1比較部112Aは、データ変換部120にロードエフェクト発生信号を供給する。また、第1 及び第2ロード値の差がない場合、第1比較部112Aは、第2比較部112Bにロードエフェクト非発生信号を供給する。
【００５６】
第2比較部112Bは、ロードエフェクト非発生信号に応答して第k+1水平ライン分のデータに含まれた第2ロード値と第k+2番目水平ライン分のデータに含まれた第３ロード値を比較して第k+1番目水平ラインと第k+2番目水平ライン間のロードエフェクト発生可否を判断するようになる。すなわち、第2及び第３ロード値の差が所定値以上である場合、第2比較部は、データ変換部120にロードエフェクト発生信号を供給する。また、第2及び第３ロード値の差がない場合、第2比較部は第k+2番目水平ライン分のデータに含まれた第３ロード値と第k+3番目水平ライン間のロード値を比較する。
【００５７】
データ変換部120は、第1及び第2比較部112によりロードエフェクトが発生すると判断されるラインに供給される1水平ライン分のデータを補正して第1逆ガンマ補正部132Aとフレームメモリー130に補正されたデータを供給する。すなわち、第k+1番目水平ライン分のデータに含まれた第2ロード値が第1ロード値より相対的に多い場合、第k+1番目水平ライン分のデータが供給された画素が相対的に明るく見えるので、第k+1番目水平ライン分のデータのレベルを所定値に下げる。また第k+1番目水平ライン分のデータに含まれた第2ロード値が第1ロード値より相対的に少ない場合、第k+1番目水平ライン分のデータが供給された画素が相対的に暗く見えるので、第k+1番目水平ライン分のデータのレベルを所定値に上げる。
【００５８】
図8aないし図8cは、本発明の第2実施の形態に係るプラズマディスプレイパネルの駆動方法を説明するための図である。
【００５９】
図8aないし図8cを参照すると、まず第2及び第３水平ラインと対応する第2及び第３画素領域P2、P3のうち特定領域にブラックグレーのウィンドウ領域Wを具現し、ウィンドウ領域Wを除いた第2及び第３画素領域P2、P3と、第1及び第4水平ラインと対応する第1及び第4画素領域P1、P4が同じ輝度を有するように第1ないし第4画素領域P1、P2、P3、P4に同一レベルのデータを供給するようになる。
【００６０】
この場合、ウィンドウ領域Wを含む第2及び第３画素領域P2、P3に供給されるデータに含まれたロードは、残りの第1及び第4画素領域P1、P4に供給されるデータに含まれたロードに比べて相対的に大きい。
【００６１】
この場合、ウィンドウ領域Wを除いた第2及び第３画素領域P2、P3は、図8aに示されているように、ウィンドウ領域Wにより第2及び第３画素領域P2、P3と同一レベルのデータが供給される第1及び第4画素領域P1、P4より相対的に明るく見える。
【００６２】
これによって、ラインバッファー部110により格納された第2水平ラインと対応する第2画素領域P2に供給される第2データと第３水平ラインと対応する第３画素領域P3に供給される第３データは、第1比較部112Aにより各データに含まれたロードを比較してそのロード差を計算する。この場合、第2及び第３データに含まれたロード差がない場合、ラインバッファー部110に格納された第３データと第4水平ラインと対応する第4画素領域P3に供給される第4データは、第2比較部112Bにより比較されてこれらのロード差が計算される。
【００６３】
このロード差に比例してデータ変換部120は、第2及び第３データを補正することになる。すなわち、ウィンドウ領域Wを除いた第2及び第３画素領域P2、P3に供給されるデータは、図8bにハッチングで示すように、第1ないし第4画素領域P1、P2、P3、P4で同じ輝度を有するように第1及び第4画素領域P1、P4に供給されるデータより相対的にレベルが低いように補正されて第2及び第３画素領域P2、P3に供給される。
【００６４】
このように、相対的に明るく見える第2及び第３画素領域P2、P3に供給されるデータのレベルを下げることによって、図8ｃに示すように、第1ないし第4画素領域P1、P2、P3、P4の輝度は同一になる。
【００６５】
以上、本発明の具体的実施の態様について詳細に説明したが、本発明は、これらの実施例にのみ制限されるべきものではなく、本発明の技術的範囲を逸脱することなしに種々の変形が可能であることは勿論である。
【図面の簡単な説明】
【００６６】
【図１】従来の3電極交流面放電型プラズマディスプレイパネルの放電セル構造を示す斜視図である。
【図２】プラズマディスプレイパネルの一フレームを示す図である。
【図３】従来のプラズマディスプレイパネルの駆動装置を示すブロック図である。
【図４】従来の平均輝度レベルに対応するサステイン電圧値を示す図である。
【図５】本発明の第1実施の形態に係るプラズマディスプレイパネルの駆動装置を示すブロック図である。
【図６ａ】図5に示されている駆動装置を利用してライン別輝度差を補償する方法を示す図である。
【図６ｂ】図5に示されている駆動装置を利用してライン別輝度差を補償する方法を示す図である。
【図６ｃ】図5に示されている駆動装置を利用してライン別輝度差を補償する方法を示す図である。
【図７】本発明の第2実施の形態に係るプラズマディスプレイパネルの駆動装置を示すブロック図である。
【図８ａ】図7に示されている駆動装置を利用してライン別輝度差を補償する方法を示す図である。
【図８ｂ】図7に示されている駆動装置を利用してライン別輝度差を補償する方法を示す図である。
【図８ｃ】図7に示されている駆動装置を利用してライン別輝度差を補償する方法を示す図である。
【図１】
2005128542.tif 000003
【図２】
2005128542.tif 000004
【図３】
2005128542.tif 000005
【図４】
2005128542.tif 000006
【図５】
2005128542.tif 000007
【図６ａ】
2005128542.tif 000008
【図６ｂ】
2005128542.tif 000009
【図６ｃ】
2005128542.tif 000010
【図７】
2005128542.tif 000011
【図８ａ】
2005128542.tif 000012
【図８ｂ】
2005128542.tif 000013
【図８ｃ】
2005128542.tif 000014